(57)【要約】【課題】構造工夫により、クリップ等の金属製止め具を抜け出てしまうことなく収容しながら取り出し易いという特長はそのまま維持しながら、よりシンプルで廉価に構成できて実用上の使い勝手に優れる止め具収容体を実現して提供する。【解決手段】金属製の止め具Ｃを収容可能で、かつ、手指による把持が可能な大きさの細長状容器１における止め具Ｃを出し入れするための開口部２を容器１の上端に形成するととともに、開口部２近傍の背壁に磁石が装備さ、開口部２に連なる指先入れ込み用の切欠き４が前壁６の上端に形成して止め具収容体Ｓを構成する。【選択図】図４
2010254310.tif 000002
【特許請求の範囲】
【請求項１】
金属製の止め具を収容可能な細長状の容器における前記止め具を出し入れするための開口部を前記容器の長手方向一端に形成するととともに、前記開口部の近傍に磁石が設けられて成る止め具収容体。
【請求項２】
前記容器が手指による把持が可能な大きさに形成されており、前記開口部における前記磁石が設けられている側の側壁と反対側の側壁に、指先の容器内部への入り込みが可能で、かつ、前記開口部に開口する状態の切欠きが形成されている請求項１に記載の止め具収容体。
【請求項３】
前記容器に、これの側壁との間において挟持作用可能なクリップ部が設けられている請求項１又は２に記載の止め具収容体。
【請求項４】
前記クリップ部が前記容器に対して着脱可能に装備されている請求項３に記載の止め具収容体。
【請求項５】
前記磁石が前記着脱可能なクリップ部に一体的に装備されている請求項４に記載の止め具収容体。
【発明の詳細な説明】
【技術分野】
【０００１】
本発明は、ゼムクリップ、ピン、押しピン等の金属製止め具を収容するに好適な止め具収容体に関するものである。
【背景技術】
【０００２】
この種の止め具収容体は、針金を巻いて形成されるクリップ（ゼムクリップ：商標）や押しピン、挟みクリップ等の小さい金属製止め具を収納しておく容器に、止め具を容器内外へ出し入れするための開口部を形成し、その開口部の近傍に磁石を設けて成るものが知られている。つまり、開口部の近くに磁石を配置することにより、開口部から取り出し易くすべく金属製止め具を開口部に磁力でもって集めることができ、かつ、開口部に集めながらも磁着させることで容器外に出てしまうことが防止されるという便利で取り扱い性の良いものに構成されている。
【０００３】
上記のような止め具収容体としては、特許文献１において開示されるマグネット付容器が知られている。これは、特許文献１の図１，６に示されるように、止め具を出し入れする開口部が斜め上部に位置する第１姿勢と、特許文献１の図２，７に示されるように、開口部が斜め下部に位置する第２姿勢との双方の姿勢で使用可能とされるように構成されたものである、と記載されている。また、特許文献の図６に仮想線で示されるように、クリップを容器に補充するには、開口部を備えたカバー部を回動して開くことによって行う、とも記載されている。
【０００４】
上記特許文献１において開示される止め具収容体は、互いに異なる二種類の姿勢で使用されることが必須う要件であるため、形状が限定されたものになるとともに、斜め向きに磁石を取付けるために二重底のような複雑な構造が採られており、小型の事務用機器としては構造が複雑でコストも高く付いてしまう嫌いがある。また、クリップを補充するにはカバー部を開け閉め間しなければならず、操作が面倒になるとともに、さらにコストアップする要素になっている。
【０００５】
従って、特許文献１にて示される止め具収容体（マグネット付容器）は、その必要とされる機能の割には、構造上の制約条件があって作り辛く、かつ、コスト高となるものであり、廉価でシンプルなものとするには改善の余地が残されているように思える。
【先行技術文献】
【特許文献】
【０００６】
【特許文献１】特開２００３−２４６３７８号公報
【発明の概要】
【発明が解決しようとする課題】
【０００７】
本発明の目的は、構造工夫により、クリップ等の金属製止め具を抜け出てしまうことなく収容しながら取り出し易いという特長はそのまま維持しながら、よりシンプルで廉価に構成できて実用上の使い勝手に優れる止め具収容体を実現して提供する点にある。
【課題を解決するための手段】
【０００８】
請求項１に係る発明は、止め具収容体において、金属製の止め具Ｃを収容可能な細長状の容器１における前記止め具Ｃを出し入れするための開口部２を前記容器１の長手方向一端に形成するととともに、前記開口部２の近傍に磁石３が設けられて成ることを特徴とするものである。
【０００９】
請求項２に係る発明は、請求項１に記載の止め具収容体において、前記容器１が手指による把持が可能な大きさに形成されており、前記開口部２における前記磁石３が設けられている側の側壁７と反対側の側壁６に、指先の容器内部１Ｓへの入り込みが可能で、かつ、前記開口部２に開口する状態の切欠き４が形成されていることを特徴とするものである。
【００１０】
請求項３に係る発明は、請求項１又は２に記載の止め具収容体において、前記容器１に、これの側壁７との間において挟持作用可能なクリップ部１Ｂが設けられていることを特徴とするものである。
【００１１】
請求項４に係る発明は、請求項３に記載の止め具収容体において、前記クリップ部１Ｂが前記容器１に対して着脱可能に装備されていることを特徴とするものである。
【００１２】
請求項５に係る発明は、請求項４に記載の止め具収容体において、前記磁石３が前記クリップ部１Ｂに一体的に装備されていることを特徴とするものである。
【発明の効果】
【００１３】
請求項１の発明によれば、容器に収容されている金属製の止め具を磁着して開口部付近に集約させることができ、止め具を開口部から取り出し易い状態に維持できながら、磁着していることで止め具が開口部から抜け出てしまうことが防止される。容器は細長状のものであるから、持ったり移動したりの使い勝手に優れ、かつ、嵩張らず収納し易い。また、従来のように、二種類の姿勢で使うための形状とする、という設計上の制約を受けないから、構造もシンプルでコスト安なものにすることができる。その結果、構造工夫により、クリップ等の金属製止め具を抜け出てしまうことなく収容しながら取り出し易いという特長はそのまま維持しながら、よりシンプルで廉価に構成できて実用上の使い勝手に優れる止め具収容体を実現して提供することができる。
【００１４】
請求項２の発明によれば、小型で邪魔にならない上に携帯や持ち運びにも便利である。磁石の装着側である側壁と反対側の側壁に形成される切欠き指先の入り込みが可能な大きさであるから、止め具の不要な飛び出しがまず生じないようにしながら、磁石に磁着されている止め具を指先で押して開口部から引きずり出す操作が行える便利さがある。
【００１５】
請求項３の発明によれば、容器の側壁との間に他物の挟持作用可能なクリップ部が設けられているから、Ｙシャツのポケット、パネルボード等の薄板状又は薄膜状の他物に挟んで止め具収容体を支持させること（把持）が可能であり、使い勝手に優れている。
【００１６】
請求項４の発明によれば、クリップ部とこれが除去された容器（容器本体）とが、それぞれの部品としては簡素な形状にできて製作容易になるとともに、互いに異なる色に仕上げるといった融通が効き、デザイン上でも有利なものとなる利点がある。
【００１７】
請求項５の発明によれば、外部露出するクリップ部に磁石が装備されるから、クリップ部を介して止め具収容体を金属製のパネル、仕切り壁、ボード等に磁着保持可能になる。よって、止め具を開口部付近に集約保持する磁石により、止め具収容体を他物に磁着保持する手段に兼用できる合理性を備える利点がある。また、容器に着脱可能なクリップ部に磁石が着脱可能に装備されるから、組付けが容易化され、クリップ部が容器に装着された状態では磁石のクリップ部からの抜出しが阻止される合理的な止め具収容体を提供することができる。
【図面の簡単な説明】
【００１８】
【図１】実施例１による止め具収容体を示し、（ａ）は斜め上方から見た斜視図、（ｂ）は正面図
【図２】図１に示す止め具収容体を示し、（ａ）は背面図、（ｂ）は左側面図
【図３】図１に示す止め具収容体を示し、（ａ）は図１（ｂ）のＡ−Ａ線断面図、（ｂ）は平面図
【図４】止め具収容体の使い方を示す作用図
【図５】（ａ）は容器本体の拡大平面図、（ｂ）は容器本体上部の拡大断面図
【図６】容器本体の背面図
【図７】（ａ）はクリップ部上部の右側面図、（ｂ）はクリップ部上部の左側面図
【図８】図７（ａ）のＡ−Ａ線断面図
【発明を実施するための最良の形態】
【００１９】
以下に、本発明による止め具収容体の実施の形態を、ゼムクリップを収容保持するに好適なものとして図面を参照しながら説明する。
【００２０】
〔実施例１〕
止め具収容体Ｓは、図１〜図３に示すように、ゼムクリップ（止め具の一例）Ｃを多数収容するに好適なものであって、細長状の容器１におけるゼムクリップＣを出し入れするための開口部２を容器１の長手方向一端に形成するととともに、開口部２の近傍に磁石３が設けられて構成されている。容器１は、容器本体１Ａと、クリップ部１Ｂとから成り、磁石３はクリップ部１Ｂに収容保持されている。また、開口部２は、容器本体１Ａの上端部に設けられており、その開口部２に続く指先操作用の切欠き４が形成されている。
【００２１】
上記止め具収容体Ｓは、容器本体１Ａに多数のゼムクリップＣを入れて収容しておくケースとして機能し、そしてゼムクリップＣが必要なときには開口部２からゼムクリップＣを取り出して使うことができる止め具供給手段として機能する。その代表的な使い方としては、図４に示すように、人差し指ｈｙと中指ｎｙと薬指ｋｙとで容器１の上端部を支えて保持した状態で、親指ｏｙの指先を切欠き４に差込み、磁石３によって開口部近傍に集約保持されている多数のゼムくリップＣのうちの一つを引き出すことが可能である。これは片手使いであり、図示は省略するが、片手で容器本体１Ａを保持し、もう片方の手指で切欠き４に指先を入り込ませてゼムクリップＣを取り出す両手使いも可能である。
【００２２】
クリップ部１Ｂは、容器本体１Ａの後壁７との間に他物の挟み込みを可能とすべく下方に延びるアーム片５を有しており、図３（ａ）に示すように、ノートの端やカッターシャツのポケット等の薄板状又は薄膜状の被挟持体ｔの端部をアーム部５と後壁７との間に入れ込むことにより引っ掛けて保持（係着）させることが可能である。アーム片５の先端部内側には挟持用の突起５ａが一体形成されている。また、クリップ部１Ｂに磁石３があることから、図示は省略するが、金属製の仕切り壁やパネル、冷蔵庫の側面等に磁着させて保持させる、という使い方も可能である。つまり、容器１に、これの後壁（側壁の一例）７との間において挟持作用可能なクリップ部１Ｂが設けられている。
【００２３】
次に、各部の構造や形状等について説明する。容器本体１Ａは、図１〜図３，図５，図６に示すように、ＡＢＳ等の合成樹脂製であって、上端に切欠き４を有する平らな前壁６、上端にクリップ部１Ｂの装着部７Ａを有する平らな後壁７、それぞれが半円状に湾曲した左側壁８及び右側壁９、底壁１０で成る長尺状の収容空間１Ｓ、及び上端の開口部２を有して構成されている。各側壁８，９は、外に向かって凸となるように湾曲しており〔図５（ｂ）参照〕、開口部２の平面視形状は横に長い長円形を呈している。容器本体１Ａは、上下に長い細長形状であって、手指で容易に把持できる大きさ（例：上下８５ｍｍ、左右２５ｍｍ、厚み１２ｍｍ）に設定されており、取り扱い容易でシンプルなものである。
【００２４】
切欠き４は、開口部２から続くように前壁６の上端から下方に凹入形成されており、その下端部には、内周が半円状で、かつ、傾斜した面であるスライド面１１〔図４及び図５（ｂ）を参照〕が形成されている。このスライド面１１により、例えば親指ｏｙの指先ｏｓを滑らせて円滑に切欠き４に誘導できる、という作用及び効果が発揮される。切欠き４の幅は、後述する装着部７Ａの外周壁１２の内幅よりも少し広い。つまり、開口部２における磁石３が設けられている側の側壁である背壁７と反対側の側壁である前壁６に、指先の容器内部（収容空間）１Ｓへの入り込みが可能で、かつ、開口部２に開口する状態の切欠き４が形成されている。
【００２５】
装着部７Ａは、クリップ部１Ｂを取り外し可能に装着すべく背壁７上端をＵ字状に切欠いたようにして形成される箇所である。装着部７Ａは、前後に幅を有してＵ字状に形成される外周壁１２、外周壁１２の左右それぞれの上端部に形成される案内幅部１３，１３、左右のリブ１７，１７下端の抜止め孔１４を形成すべく左右のリブ１７，１７を繋ぐブリッジ１５、アーム片５の付根を通すために外周壁１２の下端部に形成される矩形切欠き１６等を有して構成されている。
【００２６】
クリップ部１Ｂは、図１〜図３，図７，図８に示すように、ＡＢＳ等の合成樹脂製であって、磁石３を内装して容器本体１Ａの装着部７Ａに嵌入される基端部２１と、アーム片５とを有して構成されている。基端部２１は、表壁１８、裏壁１９、上壁２０を有して磁石３を内装保持する磁石収容部２２を有して側面視形状が略逆Ｕ字状を呈する箇所である。裏壁１９の内側（磁石収容部２２側）には、磁石３の着脱移動を案内するとともに上下方向の位置を決めるための上ガイド２３と下ガイド２４、及び挿入方向の止めとなる奥ガイド２５とを備える凹み部ｈが形成されている。奥ガイド２５は、裏壁１９から隆起する止め部２５ａと、上壁２０から隆起する補強部２５ｂとを有して、右側面視で略Ｌ字状を為している。表壁１８の裏側下端部には、抜止め孔１４に入り込み可能な小突起２６が形成されている。
【００２７】
つまり、図８に示すように、凹みｈと表壁１８との間の寸法と同等の厚みを有する円筒状の磁石３は、磁石収容部２２にその基端部２１の左側からの横移動によって挿入して収容することが可能である。抜き出すときは、基端部２１の右側から磁石収容部２２に針金等の細い棒状物を差込んで磁石３を押し出せば良い。尚、図示は省略するが、表壁１８の裏側における左側端に、磁石３の抜出し規制用の高さの低い凸条や突起を設けておけば好都合である。磁石３の出し入れ時には基端部２１の弾性変形により、凸条や突起をやり過ごすことが可能である。
【００２８】
収容空間１Ｓに臨むとともに、切欠き４にも臨む状態に配置される表壁１８は、図７，図８（ｂ）に示すように、左右端に比べて左右中央の厚みが厚くなるように前方に凸となる湾曲面に形成されている。背壁１９は厚み一定の平な面に形成されている。尚、磁石３の出し入れが可能な磁石収容部２２の具体的な構造は、凹みｈを深くして磁石支持用のリブを設ける等、種々の変更が可能であり、図示の構造には限定されない。
【００２９】
このような構造の止め具収容体Ｓであるから、まず磁石３をクリップ部１Ｂの磁石収容部２２に嵌め入れ（図８参照）、それからその磁石３が内装されているクリップ部１Ｂを、その基端部２１が装着部７Ａに嵌入されるように移動して、容器本体１Ａに差込んで装着することにより（図６参照）、簡単に組立てることができる。分解するときはその逆の手順を踏襲すれば良い。クリップ部１Ｂは、表壁１８裏側の小突起２６がブリッジ１５を無理越えして容器本体１Ａの抜止め孔１４に入ることで操作の節度感が出るとともに、ある程度強い力が作用しない限りは外れない抜止め機能が得られる。また、装着部７Ａにクリップ部１Ｂが装着された状態では、磁石３が磁石収容部２２から抜け出ることは無い。
【００３０】
止め具収容体Ｓは、その開口部２付近に磁石３が装備されているから、容器１に収容されているゼムクリップ（金属製の止め具）Ｃを磁着して開口部２付近に集約させることができ、ゼムクリップＣを開口部２から取り出し易い状態に維持できながら、磁着していることでゼムクリップＣが開口部２から抜け出てしまうことが防止される。加えて、容器１は正面視で矩形を呈して上下に長い細長状のものであるから、持ったり移動したりの使い勝手に優れ、かつ、嵩張らず収納し易い。また、従来のように、二種類の姿勢で使うための形状とする、という設計上の制約を受けないから、構造もシンプルでコスト安なものにすることができる。
【００３１】
容器本体１Ａは手指で容易に把持できる大きさ及び形状であり、小型で邪魔にならない上に携帯や持ち運びにも便利である。磁石３の装着側である背壁７と反対側の側壁である前壁６に形成される切欠き４は、開口部２に続いていて指先の入り込みが可能な大きさであるから、ゼムクリップＣの不要な飛び出しがまず生じないようにしながら、磁石３に磁着されているゼムクリップＣを指先で押して引きずり出す操作が行える便利さがある。例えば、もっと大きな切欠きとすれば、指先を挿入してのゼムクリップの取り出し操作はさらに容易化されるが、ゼムクリップの切欠きからの不測の飛び出しおそれが大になる不都合があるから、本発明の方が実用上の利点が大である。
【００３２】
容器本体１Ａの後壁７との間において挟持作用可能なクリップ部１Ｂが設けられており、Ｙシャツのポケットや、パネルボード、クリップボード、カーテンの端等の薄い板状や薄膜状の他物に挟んで支持させること（把持）が可能であり、使い勝手に優れている。また、磁石３を内装するクリップ部１Ｂの平らな後壁１９を金属製のものに磁着できるから、ゼムクリップＣを収容している止め具収容体Ｓを各金属製のパネル、仕切り壁、ボード、ロッカー、机、冷蔵庫等に磁着により容易に取付け保持可能であり、また外すのも簡単であり、便利である。つまり、ゼムクリップＣを開口部２付近に集約保持する磁石３により、止め具収容体Ｓを他物に磁着保持する手段に兼用できる合理性もある。
【００３３】
そして、クリップ部１Ｂが容器本体１Ａに着脱可能に装備されるから、それぞれの部品としては簡素な形状にできて製作容易になるとともに、互いに異なる色に仕上げることも容易である。また、磁石３が、容器本体１Ａに対して着脱可能で装着状態に係止維持可能なクリップ部１Ｂに着脱可能に装備されているから、組付けが容易であり、クリップ部１Ｂが容器本体１Ａに装着された状態では磁石３のクリップ部１Ｂからの抜出しが阻止されるという合理的な構成である。
【符号の説明】
【００３４】
１          容器
１Ｂ        クリップ部
１Ｓ        容器内部
２          開口部
３          磁石
４          切欠き
６          反対側の側壁
７          磁石が設けられている側の側壁
Ｃ          止め具
【図１】
2010254310.tif 000003
【図２】
2010254310.tif 000004
【図３】
2010254310.tif 000005
【図４】
2010254310.tif 000006
【図５】
2010254310.tif 000007
【図６】
2010254310.tif 000008
【図７】
2010254310.tif 000009
【図８】
2010254310.tif 000010